(57)【要約】【課題】      板ガラスや二枚の板ガラスを貼り合わせて形成した液晶パネルを分断するには、板面に切断線をスクライブして、切断線に衝撃を加えて折割する。すると、分断面が板面に対して直角でなく、かつ流れが発生する。【解決手段】  表面に切断線ａをスクライブ加工した板ガラスＡや液晶パネルと、上記切断線の全長に渡って対向するように配置した加熱手段１２と、この加熱手段或いは上記板ガラスや液晶パネルの接近、離反方向に移動させる移動手段１１とからなり、上記切断線に加熱手段の熱を作用させて、熱応力により切断線の分断破壊を図る。【選択図】    図２
2006016276.tif 000002
【特許請求の範囲】
【請求項１】
板ガラスや液晶パネルの表面スクライブ加工した切断線の全長に渡り加熱手段の熱を加えて、熱応力により上記切断線の分断破壊を図るようにしたことを特徴とする分断方法。
【請求項２】
前記熱応力による切断線の分断破壊の際に、板ガラスや液晶パネルに分断助長の牽引力を作用させたことを特徴とする請求項１に記載の分断方法。
【請求項３】
表面に切断線をスクライブ加工した板ガラスや液晶パネルと、上記切断線の全長に渡って対向するように配置した加熱手段と、この加熱手段或いは上記板ガラスや液晶パネルの接近、離反方向に移動させる移動手段とからなり、上記切断線に加熱手段の熱を作用させるようにしたことを特徴とする分断装置。
【請求項４】
前記板ガラスや液晶パネルに、加熱手段の熱による分断破壊の際分断助長を図る牽引力を作用させるような牽引手段を設けたことを特徴とする請求項３に記載の分断装置。
【発明の詳細な説明】
【技術分野】
【０００１】
この発明は、板ガラスや二枚の板ガラスを貼り合わせて形成してある液晶パネルの分断方法及びその装置に関する。
【背景技術】
【０００２】
液晶パネルは、二枚の板ガラスを貼り合わせて形成してある。
【０００３】
このような液晶パネルを製品サイズに分断するには、液晶パネルのＡ面に切断線をスクライブ（入れる）する。
【０００４】
液晶パネルのＢ面にも切断線をスクライブする。
【０００５】
上記の切断線は、例えば耳落し用や、大割用、小割用があり、周知のようにＡ面及びＢ面の切断線を合致させ、また辺縁に端子を形成する場合、合致させない。
【０００６】
勿論、単板の板ガラスの場合でも、板ガラスの表面に切断線を入れる。
【０００７】
次に、折割装置のバー材やロールなどの折割部材により切断線上に衝撃を加えながら折割し切断線に切断を浸透させて分断する（例えば、特許文献１、特許文献２参照）
【特許文献１】特開２００３−１１９０４３号公報
【特許文献２】特開２００３−１８５９８７号公報
【発明の開示】
【発明が解決しようとする課題】
【０００８】
ところで、バー材やロールなどの折割部材による衝撃を加える分断方式によると、分断面Ｘが図９、図１０に示すよう板面に対し直角（垂直）に割れない（浸透しない）で流れる可能性が大きい。
【０００９】
特に、スクライブするカッターホイールの切れ味によって流れる問題が発生する。
【００１０】
このため、分断後の基板とエッジに悪影響を与える。
【００１１】
そこで、この発明の課題は、分断面に流れが発生しない分断方法及びその装置を提供することにある。
【課題を解決するための手段】
【００１２】
上記のような課題を解決するために、この発明は、板ガラスや液晶パネルの表面スクライブ加工した切断線の全長に渡り加熱手段の熱を加えて、熱応力により上記切断線の分断破壊を図るようにした方法を採用する。
【００１３】
そして、前記熱応力による切断線の分断破壊の際に、板ガラスや液晶パネルに分断助長の牽引力を作用させることもある。
【００１４】
また、表面に切断線をスクライブ加工した板ガラスや液晶パネルと、上記切断線の全長に渡って対向するように配置した加熱手段と、この加熱手段或いは上記板ガラスや液晶パネルの接近、離反方向に移動させる移動手段とからなり、上記切断線に加熱手段の熱を作用させるようにした装置を採用する。
【００１５】
そして、前記板ガラスや液晶パネルに、加熱手段の熱による分断破壊の際分断助長を図る牽引力を作用させるような牽引手段を設けることもある。
【００１６】
すると、切断線に加えた熱によって熱破壊による強い応力を持って切断線の浸透が板面に対し直角になって垂直な分断（熱割れ）が行なわれ、切断面に流れがない。
【００１７】
また、牽引手段により板ガラスや液晶パネルに牽引力を作用（切断線に対し直角に交差する方向へ）させて、加熱手段の熱による分断破壊の際の分断助長を図るので、熱分解時間が大幅に短縮させて、分断能率を著しく向上する。
【発明の効果】
【００１８】
以上のように、この発明の板ガラスや液晶パネルの分断方法や分断装置によれば、スクライブした切断線に加熱手段の熱を加えることで、熱応力に熱破壊が成長して切断線の分断（熱割れ）浸透を図ると共に、切断面が板面に対し直角となって垂直な切断面となり、切断面に流れ現象が起きない。
【００１９】
このため、衝撃を加えた分断のように流れの発生にともなう基板とエッジに悪影響を与えることがない。
【００２０】
また、スクライブするカッターホイールの切れ味が低下しても何ら影響を受けることもない。
【００２１】
さらに、牽引手段により板ガラスや液晶パネルに牽引力を作用（切断線に対し直角に交差する方向へ）させて、加熱手段の熱による分断破壊の際の分断助長を図るので、熱分解に要する時間を大幅に短縮して、能率の著しい向上を図ることができる。
【発明を実施するための最良の形態】
【００２２】
この発明の実施の形態を添付図面に基づいて説明する。
【００２３】
第１の実施形態では、図１及び図２示すように、大判な板ガラスＡの片面には、耳落しや、大割、小割の切断線ａが前もって入れてある。
【００２４】
上記の切断線ａは、周知のように、板ガラスＡの板面にカッターホイール（図示省略）を押し付けると共に、押し付け状況下に板ガラス或いはカッターホイールのいずれか片方の走行によりスクライブする。
【００２５】
また、図４及び図５に示すように、大判な二枚の板ガラスＡ、Ａを貼り合わせて形成してある液晶パネルＡ′には、耳落しや製品サイズ、端子（所要の辺で、一辺四辺に）形成用の切断線ａが入れてある。
【００２６】
上記の切断線ａは、周知のように液晶パネルＡ′を形成する両板ガラスＡ、Ａの板面にカッターホイール（図示省略）を押し付けると共に、押し付け状況下に液晶パネル或いはカッターホイールのいずれか片方の走行によりスクライブする。
【００２７】
次に、切断線ａの分断を説明する。
【００２８】
移動手段１１としてのシリンダの伸長作用によって加熱手段１２としての例えば通電により発熱したニクローム線を切断線ａの全長に渡って接近（接触或いは接触しない程度に）させる。
【００２９】
すると、切断線ａの加熱にともなう熱応力により切断線ａの分断破壊が図られて（成長して）、分断（熱割れによる）浸透し、図３、図６に示すように、分断面Ｓが板ガラスＡの板面に対し直角となって垂直な分断面Ｓとなり、図８、９に示すような従来の衝撃分断にともない発生した流れがない。
【００３０】
勿論、カッターホイールの切れ味が低下しても、分断面Ｓに悪影響がない。
【００３１】
なお、切断線ａに対する加熱手段１２による加熱は、各切断線ａ毎に順次行なうか、或いは複数の切断線ａ又は全ての切断線ａを同時に行なう。
【００３２】
上記切断線ａに対する加熱用の加熱手段１２は、図５に示すように液晶パネルＡ′の切断線ａの加工面（両面）に対向させて加熱手段１２を配置する場合と、図２に示すように板ガラスＡの切断線ａの加工していない面側で、切断線に対向するよう設けたが、板ガラスＡの切断線ａの加工面側に加熱手段１２を設けても（図示省略）よい。
【００３３】
要するに、切断線ａを加熱することで、分断破壊を図るようにする。
【００３４】
この発明の第２の実施形態では、加熱手段１２によって切断線ａを加熱して、熱応力により切断線ａの分断破壊を図る際、牽引手段３１によって板ガラスＡや液晶パネルＡ′に牽引力Ｇを作用させて分断助長する。
【００３５】
上記の牽引手段３１は、切断線ａに対し直角に交差する方向に牽引するもので、例えば、図８に示すようにテーブルＴ上に板ガラスＡや液晶パネルＡ′を押え込むための牽引手段３１としてのシリンダ３２により昇降させる加圧部材３３と、板ガラスＡや液晶パネルＡ′の辺縁をクランプするクランプ金具３４と、このクランプ金具３４を進退させるシリンダ３５とで構成し、分断に際し加圧部材３３を降下させて、テーブルＴ上に板ガラスＡや液晶パネルＡ′を押え込み、またクランプ金具３４によって板ガラスＡや液晶パネルＡ′の辺縁（全長）をクランプする。
【００３６】
上記シリンダ３５によるクランプ金具３４の進退方向は、切断線ａに対し直角に交差する方向にする。
【００３７】
しかして、切断線ａの加熱手段１２による加熱にともなう熱応力により切断線ａの分断破壊と同時にシリンダ３５の収縮作用によってクランプ金具３４によってクランプしてある辺縁に牽引力Ｇを作用させる。
【００３８】
すると、分断破壊が助長されて、分断がスムーズに、かつ大幅な時間短縮によって能率の向上をはかる。
【００３９】
なお、図示の場合、耳落しの辺縁をクランプしたが、大割や小割の際分断位置の切断線ａに平行する辺縁（全長）をクランプすればよい。そして、牽引手段も図示の方式に限定されない。
【図面の簡単な説明】
【００４０】
【図１】第１の実施形態の切断線のスクライブずみ板ガラスを示す斜視図
【図２】切断線の加熱を示す拡大正面図
【図３】同上の分断を示す正面図
【図４】切断線のスクライブずみ液晶パネルを示す斜視図
【図５】加熱線の加熱を示す拡大正面図
【図６】同上の分断を示す正面図
【図７】分断液晶パネルの斜視図
【図８】第２の実施形態を示す拡大正面図
【図９】従来の板ガラス分断を示す拡大正面図
【図１０】従来の液晶パネルの分断を示す拡大正面図
【符号の説明】
【００４１】
Ａ      板ガラス
ａ      切断線
Ａ′    液晶パネル
１１    移動手段
１２    加熱手段
Ｓ      分断面
Ｔ      テーブル
Ｇ      牽引力
３１    牽引手段
３２    シリンダ
３３    加圧部材
３４    クランプ金具
３５    シリンダ
【図１】
2006016276.tif 000003
【図２】
2006016276.tif 000004
【図３】
2006016276.tif 000005
【図４】
2006016276.tif 000006
【図５】
2006016276.tif 000007
【図６】
2006016276.tif 000008
【図７】
2006016276.tif 000009
【図８】
2006016276.tif 000010
【図９】
2006016276.tif 000011
【図１０】
2006016276.tif 000012